(57)【要約】【課題】テーブルや椅子の足の下末端に嵌め付け、足が地板の上で滑ることを防ぎ、地板に傷を付けず、足の下末端から容易に脱落しない滑り止め安定保護具を提供する。【解決手段】滑り止め安定保護具は、上座体１と、下座台２と、を備える。上座体１の上方部には、テーブルと椅子の足の下末端を嵌め付けるための空間を有する嵌め置き部１１が形成される。上座体１の下方部は、下座台２と熔接で固く連接される連接面を有する。下座台２は、上座体１の下方部の連接面と熔接で固く連結されて一体になる。これにより、安定保護具がテーブルや椅子の足から脱落しない。また、上座体１と一体にされる下座台２は、地板に傷を与えず、足の滑りを防止し、地板との摩擦による雑音も極めて小さくなる。【選択図】図１
0003178431.tif 000002
【実用新案登録請求の範囲】
【請求項１】
上座体と、地板の上に置かれる下座台と、を備え、
前記上座体は、上方部にテーブルまたは椅子の足の下末端を嵌め入れる空間を有する嵌め置き部が形成され、下方部の下には、前記下座台と模型で熔接して一体となり、
前記上座体は、模型で成型されて、所定の弾性および硬度の材料で製作され、
前記上座体の硬度は、前記下座台の硬度より大きく、
前記上座体の弾性は、前記下座台の弾性より小さいことを特徴とする滑り止め安定保護具。
【請求項２】
前記下座台は、
前記上座体とは異なる弾性および硬度を有し、且つ、塑造可能の材料で製作されるか、
或いは、前記上座体とは異なる弾性および硬度を有し、且つ、前記上座体と熔接できて固く一体となる材料で製作されることを特徴とする請求項１記載の滑り止め安定保護具。
【請求項３】
前記上座体と前記下座台との熔接固定面は、平坦面であることを特徴とする請求項１記載の滑り止め安定保護具。
【請求項４】
前記上座体と前記下座台との熔接固定面は、非平坦面であることを特徴とする請求項１記載の滑り止め安定保護具。
【請求項５】
前記上座体の前記嵌め置き部の内側の相対する両側壁には、内部空間に突き出る突起が形成されていることを特徴とする請求項１記載の滑り止め安定保護具。
【考案の詳細な説明】
【技術分野】
【０００１】
本考案は、テーブルや椅子の足の下末端に嵌め付けて、地板の上で滑るのを防止すると共に地板に傷害を与えない、テーブルと椅子の足の滑り止め安定保護具に関する。
【背景技術】
【０００２】
従来のテーブルや椅子の足の下末端に嵌め付ける滑り止め安定保護具は、一種の材料、例えばプラスチックやゴム又は毛布で作られており、ある一定の硬度を持っている。それでテーブルや椅子の足に嵌め付けられ、直接地板の上に置かれ、引きずられた場合、従来の滑り止め安定保護具は、容易に地板に傷を与えると共に摩擦音（雑音）を発生する。そこで、比較的軟質な材料で作られる保護具もあるが、テーブルと椅子の足に嵌め付けるとき、余り固くはめ付けられないため、比較的容易に足の下末端から脱落する。また、毛布を使用した場合、テーブルや椅子の足の地板に対する滑りや雑音を防止できるが、使用してから時間が経過すると、毛布は地板との摩擦のために相当破損すると共に環境を汚染する。
【考案の概要】
【考案が解決しようとする課題】
【０００３】
上述の従来のテーブルや椅子の足の滑り止め安定保護具の欠点を改良し、コストが安く、構造が簡単で、テーブルや椅子の足に緊密に嵌め付けて固定され、確実に地板に傷を与えず、正確に滑りを防止し、地板との摩擦による雑音を確実に防止できるテーブルや椅子の足の滑り止め安定保護具を提供する。
【課題を解決するための手段】
【０００４】
前記の課題を解決するために、本考案の安定保護具は、上座体と下座台とを備える。上座体の上方部は、テーブルまたは椅子の足の下末端を受け入れる空間をもつ嵌め置き部が形成される。上座体の下方部は、下座台と熔接で一体に連結される。上座体の硬度は、下座台の硬度よりも大きい。また、下座台の弾性は、上座体より大きい。上座体は、緊密にテーブルや椅子の足の下末端に嵌め付け固定される。これにより、安定保護具がテーブルや椅子の足から脱落しない。また、上座体と一体にされる下座台は、地板に傷を与えず、足の滑りを防止し、地板との摩擦による雑音も極めて小さくなる。
【図面の簡単な説明】
【０００５】
【図１】本考案の第１実施形態による滑り止め安定保護具の斜視図である。
【図２】本考案の第１実施形態による滑り止め安定保護具の正面図である。
【図３】図２の左側面図である。
【図４】図３の４−４線の断面図である。
【図５】図２の５−５線の断面図である。
【図６】本考案の第２実施形態による滑り止め安定保護具の断面図である。
【図７】図６の左側面図である。
【図８】図７の８−８線の断面図である。
【図９】図７の９−９線の断面図である。
【図１０】本考案の第３実施形態による滑り止め安定保護具の正面図である。
【図１１】図１０の左側面図である。
【図１２】図１１の１２−１２線の断面図である。
【図１３】図１０の１３−１３線の断面図である。
【図１４】本考案の第４実施形態による滑り止め安定保護具の正面図である。
【図１５】図１４の左側面図である。
【図１６】図１５の１６−１６線の断面図である。
【図１７】図１４の１７−１７線の断面図である。
【図１８】本考案の第５実施形態による滑り止め安定保護具の斜視図である。
【図１９】図１８の正面図である。
【図２０】図１９の左側面図である。
【図２１】図２０の２１−２１線の断面図である。
【図２２】図１９の２２−２２線の断面図である。
【図２３】本考案の第６実施形態による滑り止め安定保護具の正面図である。
【図２４】図２３の左側面図である。
【図２５】図２４の２５−２５線の断面図である。
【図２６】図２４の２６−２６線の断面図である。
【図２７】図２３の２７−２７線の断面図である。
【図２８】本考案の第７実施形態による滑り止め安定保護具の正面図である。
【図２９】図２８の左側面図である。
【図３０】図２９の３０−３０線の断面図である。
【図３１】図２８の３１−３１線の断面図である。
【考案を実施するための形態】
【０００６】
（第１実施形態）
本考案の第１実施形態によるテーブルや椅子の足の滑り止め安定保護具は、図１から図５に示すように、上座体１と下座台２とが２回の模型作業により熔接連結されて構成される。上座体１は、所定の弾性および硬度を保持する塑造材料で作る。上座体１の硬度は、下座台２の硬度よりも大きくする。また、上座体１の弾性は、下座台２の弾性より小さくする。上座体１には、その上方部にテーブルや椅子の足の下末端がはまる嵌め置き部１１が形成される。嵌め置き部１１の相対する内部の側壁には、突起１２を空間部に突きださせて形成する。これにより、テーブルや椅子の足の下末端が嵌め置き部１１の中にはめられたとき、突起１２は、下末端に設置される溝の中にはまり、上座体１が足と緊密にはまり合って容易に脱落しない。
【０００７】
また、図１から図５に示すように、第１実施形態の上座体１には、更に下部に水平の連接面１３が設置される。連接面１３は、平坦にして、下座台２と模型で熔接される。下座台２は、弾性が上座体１よりも大きく、また硬度が上座体１よりも小さい塑造可能の材料で作られる。
【０００８】
（第２実施形態）
次に、図６から図９は、本考案の第２実施形態を示し、第１実施形態と異なる点は、上座体１の連接面１３に、少なくとも１個以上の突起１４が加設される。また、下座台２の連接面にも、この突起１４と相対する溝が形成される。連接面１３は、平坦な平面ではなく、非平坦面である。これにより、上座体１と下座台２とは、密切に熔接されて一体になる。
【０００９】
（第３実施形態）
次に、図１０から図１３は、本考案の第２実施形態と類似する第３実施形態を示す。第２実施形態と異なる点は、上座体１の連接面１３の突起１４の形状および数量が異なる点である。第３実施形態も連接面１３は、やはり平坦な平面ではなく、非平坦面である。これにより、上座体１と下座台２とが密切に熔接されて一体になる。
【００１０】
（第４実施形態）
次に、図１４から図１７は、本考案の第４実施形態を示す。第４実施形態は、第２実施形態および第３実施形態と類似する。異なる点は、上座体１の連接面１３の突起１４の形状および数量が異なる点である。連接面１３は、平坦な平面ではなく、非平坦面である。これにより、第２実施形態および第３実施形態と同様に、上座体１と下座台２とは熔接されて固く一体になる。
【００１１】
（第５実施形態）
更に、図１８から図２２は、本考案の第５実施形態のテーブルや椅子の足の滑り止め安定保護具を示し、上記実施形態と同じく、上座体１と下座台２とで構成され、２回の模型作業で熔接され一体になる。
【００１２】
第５実施形態の上座体１は、所定の弾性および硬度を持つ材料で作られる。上座体１の硬度は、下座台２の硬度より大きい。また、上座体１の弾性は、下座台２の弾性より小さい。上座体１の上方部には、テーブルや椅子の足の下末端を嵌め入れる嵌め置き部１１が形成される。また、図１９に示すように、嵌め置き部１１は、ビスのような固定具を挿入可能な貫通孔１５を設ける。これにより、上座体１は、テーブルや椅子の足に更に堅く固定される。
【００１３】
また、図１９に示すように、第５実施形態の上座体１の下部には、模型で下座台２が熔接されて一体になる。下座台２には、上座体１の貫通孔１５と相応し、ビスのような固定具を挿入可能な貫通孔２１が設けられる。下座台２は、塑造可能な材料で作られ、その弾性は上座体１よりも大きく、その硬度は上座体１より小さい。
【００１４】
（第６実施形態、第７実施形態）
更に、図２３から図３１に示すように、第６実施形態および第７実施形態は、ビスを使用する他、上座体１が下座台２と熔接される連接面１３には、少なくとも１個以上の突起１４が加設される。連接面１３は、非平坦の平面であり、これにより、下座台２は上座体１と密切に熔接されて一体になる。
【００１５】
本考案の上記実施形態によるテーブルや椅子の足の滑り止め安定保護具は、テーブルと椅子の足と密切にはめられて容易に脱落せず、地板に傷を与えることなく、又地板との摩擦による雑音が少なくなる効果がある。
【符号の説明】
【００１６】
１・・・・上座体
１１・・・嵌め置き部
１２・・・突起
１３・・・連接面
１４・・・突起
１５・・・貫通孔
２・・・・下座台
２１・・・貫通孔
【図１】
0003178431.tif 000003
【図２】
0003178431.tif 000004
【図３】
0003178431.tif 000005
【図４】
0003178431.tif 000006
【図５】
0003178431.tif 000007
【図６】
0003178431.tif 000008
【図７】
0003178431.tif 000009
【図８】
0003178431.tif 000010
【図９】
0003178431.tif 000011
【図１０】
0003178431.tif 000012
【図１１】
0003178431.tif 000013
【図１２】
0003178431.tif 000014
【図１３】
0003178431.tif 000015
【図１４】
0003178431.tif 000016
【図１５】
0003178431.tif 000017
【図１６】
0003178431.tif 000018
【図１７】
0003178431.tif 000019
【図１８】
0003178431.tif 000020
【図１９】
0003178431.tif 000021
【図２０】
0003178431.tif 000022
【図２１】
0003178431.tif 000023
【図２２】
0003178431.tif 000024
【図２３】
0003178431.tif 000025
【図２４】
0003178431.tif 000026
【図２５】
0003178431.tif 000027
【図２６】
0003178431.tif 000028
【図２７】
0003178431.tif 000029
【図２８】
0003178431.tif 000030
【図２９】
0003178431.tif 000031
【図３０】
0003178431.tif 000032
【図３１】
0003178431.tif 000033